(57)【要約】      （修正有）【課題】機能の選択操作が効率的に行えると共に、ユーザのお好みの画面表示を実現することのできる携帯端末機、その画面表示方法及び表示プログラムを提供する。【解決手段】携帯端末機の表示画面内の画面層として、ユーザによって選択された任意の画像を設定できる壁紙画像層２１と、壁紙画像層をぼかし、縮小したように表示する待受機能透過層２２と、携帯端末機の主要機能等のアイコンを少なくとも配置したクイックランチャー透過層２３と、アイコンをＸ列Ｙ行（Ｘ，Ｙは正の整数）に配置したメインメニューカード透過層２４と、マークを削除するマーク削除層とを具備する。前記クイックランチャー透過層、メインメニューカード透過層及び／又はマーク削除層が機能している時に、壁紙画像の少なくとも一部が前記表示画面内に表示される。【選択図】図２
2011180964.tif 000002
【特許請求の範囲】
【請求項１】
表示画面上に配置されるアイコン等のマークをタッチして操作することのできる携帯端末機であって、
前記表示画面内の画面層として、
ユーザによって選択された任意の画像を設定できる壁紙画像層と、
前記壁紙画像層をぼかし、縮小したように表示する待受機能透過層と、
携帯端末機の主要機能等のアイコンを少なくとも配置したクイックランチャー透過層と、
アイコンをＸ列Ｙ行（Ｘ，Ｙは正の整数）に配置したメインメニューカード透過層と、
前記マークを削除するマーク削除層とを具備し、
前記壁紙画像層、待受機能透過層、クイックランチャー透過層及びメインメニューカード透過層は、ユーザ目線で順次奥から積層されて表示され、
前記クイックランチャー透過層、メインメニューカード透過層及び／又はマーク削除層が表示されている時に、前記待受機能透過層によってぼかしと縮小をされた壁紙画像の少なくとも一部が前記表示画面内に表示されていることを特徴とする携帯端末機。
【請求項２】
前記マーク削除層が機能する時には、前記表示画面内で壁紙画像がせり上がり、下方の余白にマークの削除を示すラベル又は穴状の表示が形成されることを特徴とする請求項１に記載の携帯端末機。
【請求項３】
前記メインメニューカード透過層が複数枚用意され、指先のタッチにより左右に移動して入れ替わることを特徴とする請求項１に記載の携帯端末機。
【請求項４】
前記クイックランチャー透過層とメインメニューカード透過層とは、互いに重ならないように、画面の場所を分け合って表示されることを特徴とする請求項１に記載の携帯端末機。
【請求項５】
前記待受機能透過層とクイックランチャー透過層とが機能して画面上にアイコン等のマークが表示された場合に、該マークはその中に機能を示す絵の入った円形部と該円形部の周囲のリング部とからなり、該円形部は絵以外の部分の輝度を下げ、前記リング部は輝度を上げた形に表示されることを特徴とする請求項１に記載の携帯端末機。
【請求項６】
表示画面上に配置されるアイコン等のマークをタッチして操作することのできる携帯端末電話機の画面表示方法であって、
ユーザによって選択された任意の画像からなる壁紙画像層を表示し、
前記壁紙画像層をぼかし、縮小した待受機能透過層を表示し、
携帯端末機の主要機能等のアイコンを少なくとも配置したクイックランチャー透過層を表示し、
アイコンをＸ列Ｙ行（Ｘ，Ｙは正の整数）に配置したメインメニューカード透過層を表示し、
前記壁紙画像層、待受機能透過層、クイックランチャー透過層及びメインメニューカード透過層はユーザ目線で順次奥から積層されて表示され、
前記クイックランチャー透過層、メインメニューカード透過層及び／又はマーク削除層が機能している時に、前記待受機能透過層によってぼかしと縮小をされた壁紙画像の少なくとも一部が前記表示画面内に表示されることを特徴とする携帯端末電話機の画面表示方法。
【請求項７】
表示画面上に配置されるアイコン等のマークをタッチして操作することのできる携帯端末機の表示プログラムであって、
前記表示画面内の画面層を形成する機能として、
ユーザによって選択された任意の画像を設定できる壁紙画像層を表示する機能と、
前記壁紙画像層をぼかし、縮小したように表示する待受機能透過層を表示する機能と、
携帯端末機の主要機能等のアイコンを少なくとも配置したクイックランチャー透過層を表示する機能と、
アイコンをＸ列Ｙ行（Ｘ，Ｙは正の整数）に配置したメインメニューカード透過層を表示する機能と、
前記マークを削除するマーク削除層を表示する機能とを有し、
前記壁紙画像層、待受機能透過層、クイックランチャー透過層及びメインメニューカード透過層は順次積層され、前記クイックランチャー透過層、メインメニューカード透過層及び／又はマーク削除層が機能している時に、前記待受機能透過層によってぼかしと縮小をされた壁紙画像の少なくとも一部が前記表示画面内に表示されるようにすることをコンピュータに実現させるための表示プログラム。
【発明の詳細な説明】
【技術分野】
【０００１】
本発明は携帯端末機、携帯端末機の画面表示方法および表示プログラムに関し、特に待受画面の画像の表示を妨げずに、多階層の操作機能を表示できる携帯端末機、携帯端末機の画面表示方法および表示プログラムに関する。
【背景技術】
【０００２】
携帯電話機のような携帯端末はますます多機能化され階層化されているが、携帯端末の表示画面はパソコンの画面に比べて小さいため、機能を効率的に選択することに不便が生じている。このような問題を解消するための種々の技術が提案されているが、その一つに下記の特許文献１に示されているものがある。
【０００３】
この特許文献１では、使用者が過去に選択した項目を履歴情報として記憶しておき、次回の機能選択操作時に、その履歴情報を参照して、各階層のメニュー画面中の項目のうち、選択回数が最も多い項目に初回のカーソル位置を設定するようにしている。このことにより、少ない操作で所望の機能が選択できる。
【先行技術文献】
【特許文献】
【０００４】
【特許文献１】特開２００６−３０３６６６号公報
【発明の概要】
【発明が解決しようとする課題】
【０００５】
しかしながら、前記特許文献１に記載された発明あるいは他のこの種の先行技術においては、階層の選択画面毎に画面が切り替わってしまうため、どこの階層の画面を開いているのかが判らなくなり、困惑することにより機能の選択操作が効率的に行えない場合が起きるという課題があった。
【０００６】
本発明は、前記した課題に鑑みてなされたものであり、その目的は、機能の選択操作が効率的に行えると共に、ユーザのお好みの画面表示を実現することのできる携帯端末機、携帯端末機の画面表示方法および表示プログラムを提供することにある。
【課題を解決するための手段】
【０００７】
前記した目的を達成するために、本発明は、表示画面上に配置されるアイコン等のマークをタッチして操作することのできる携帯端末機であって、前記表示画面内の画面層として、ユーザによって選択された任意の画像を設定できる壁紙画像層と、前記壁紙画像層をぼかし、縮小したように表示する待受機能透過層と、携帯端末機の主要機能等のアイコンを少なくとも配置したクイックランチャー透過層と、アイコンをＸ列Ｙ行（Ｘ，Ｙは正の整数）に配置したメインメニューカード透過層と、前記マークを削除するマーク削除層とを具備し、前記壁紙画像層、待受機能透過層、クイックランチャー透過層及びメインメニューカード透過層は、ユーザ目線で順次奥から積層されて表示され、前記クイックランチャー透過層、メインメニューカード透過層及び／又はマーク削除層が表示されている時に、前記待受機能透過層によってぼかしと縮小をされた壁紙画像の少なくとも一部が前記表示画面内に表示されるようにした点に第１の特徴がある。
【０００８】
また、前記マーク削除層が機能する時には、前記表示画面内で壁紙画像がせり上がり、下方の余白にマークの削除を示すラベル又は穴状の表示が形成されるようにした点に第２の特徴がある。
【０００９】
また、前記メインメニューカード透過層が複数枚用意され、指先のタッチにより左右に移動して入れ替わるようにした点に第３の特徴がある。
【００１０】
また、請求項６のような携帯端末機の画面表示方法、及び請求項７のようなコンピュータで実行させ携帯端末機の表示プログラムを提供する点に第４，第５の特徴がある。
【発明の効果】
【００１１】
前記第１の特徴によれば、画面を切り替えずに各階層を表示すると共に、各階層を透過層（レイヤー）で表現したので、常に第１階層である壁紙画像層が、画面のどこかに表示される。このため、現在開いている画面がどの階層の画面であるかが判るようになり、ユーザがどの階層を見ているのか判らなくなるという課題を解消することができる。また、機能の選択操作が効率的に行えるようになる。また、待受時には、他の層が透明となることにより、壁紙画像層のみが待受画面に表示されるので、ユーザの好みの画面表示を実現することができるようになる。
【００１２】
また、前記第２の特徴によれば、マーク削除層が機能する時には、表示画面内で壁紙画像がせり上がり、下方の余白にマークを削除することを示すラベル又は穴状の表示が形成されるので、画面全体がズームインして（３次元）立体効果が表れ、ユーザにモードが変わったことを強く印象付けることができる。
【００１３】
また、前記第３の特徴によれば、メニューカードの入れ替わりがユーザの指先の動作と関連するので、ユーザにあたかも自分の指でメニューカードを入れ替えているという実感を与えることができ、親近感を与えることができると共に操作性を高めることができる。また、カスタマイズ性を実現することができる。
【００１４】
また、前記第４、第５の特徴によれば、前記第１の特徴によって得られるのと同様の効果を奏する携帯端末機の画面表示方法及び表示プログラムを提供することができる。
【図面の簡単な説明】
【００１５】
【図１】本発明の一実施形態の携帯端末機の概略の構成を示すブロック図である。
【図２】本発明の一実施形態の表示部の画面構造を示す説明図である。
【図３】本発明の一実施形態の待受画面及びクイックランチャー画面の説明図である。
【図４】アイコンの一例の説明図である。
【図５】アイコンのメニュー表示画面の一例の説明図である。
【図６】ウィジェットに対応するアプリ起動画面の説明図である。
【図７】デスクトップショートカットのアプリ起動画面の説明図である。
【図８】ホームランチャーアイコンのアプリ起動画面の説明図である。
【図９】ウィジェット削除画面の説明図である。
【図１０】デスクトップショートカット削除画面の説明図である。
【発明を実施するための形態】
【００１６】
以下に図面を参照して、本発明を詳細に説明する。図１は、本発明の一実施形態の携帯端末、例えば携帯電話機の概略の機能を示すブロック図である。
【００１７】
図１において、制御部１は、メモリ部（ＲＯＭ、ＲＡＭ）２のＲＯＭに主に記憶されているプログラムに従って動作することにより、一般的な携帯電話機の機能を提供する。ＲＡＭは、制御部１が前記プログラムに従って種々の機能を実行するときに使用される作業領域、一時的な記憶領域等の働きをする。操作部３は、携帯電話機の各種の操作に必要なキースイッチ等を有している。通信機能部４は、電話通信、ワンセグ等の動画像通信、メール通信、ＧＰＳ等の機能を有している。撮像部５はカメラ機能である。
【００１８】
表示制御部６は、メモリ部２からのプログラムに従って画像データ記憶部７に格納されている画像データを読み出し、必要な処理をして表示部８に表示する。また、前記制御部１と制御信号や画像信号等の信号のやり取りをする。表示部８は、携帯電話機の待受画面の表示や、アイコン、ウィジェット、ショートカット等のマークの表示や、選択された機能の起動後の画面の表示や、送受信画像、写真の表示等の様々な表示を行うと共に、その表面が指で触れられるとこれを感知する触指感知部９を有する。該触指感知部９は、表示画面を触られたことを感知し感知信号を表示制御部６へ出力する。表示制御部６は、該感知信号に基づいて、触指の態様、すなわちタッチ、タップ又はフリックのどれであったかを識別する。前記画像データ記憶部７には、本発明に係わる壁紙画像データ、待受機能透過層データ、クイックランチャー透過層データ、メインメニューカード透過層データや、その他の画像又は表示データが格納されている。
【００１９】
次に、本実施形態の表示部８に表示される画面の構造（画面構造）を、図２を参照して説明する。図示されているように、該画面構造は、壁紙画像層２１，待受機能透過層２２，クイックランチャー透過層２３，メインメニューカード透過層２４等の垂直画面層と、水平画面層２５からなり、表示部８には、ユーザ目線から見て壁紙画像層２１が一番奥に、メインメニューカード透過層２４が一番手前になるように表示される。これらの層は、前記画像データ記憶部７に記憶されているデータ、つまり壁紙画像データ、待受機能透過層データ、クイックランチャー透過層データ、メインメニューカード透過層データや、その他の画像又は表示データが表示部８に表示されることにより形成される。なお、図中の点線で囲まれた領域はほぼ１００％の透過領域を示している。
【００２０】
前記壁紙画像層２１は、待受画面の壁紙となる画像であり、ユーザの好きな写真等の画像を設定することができる。また、画像の大きさ（サイズ）はユーザが任意に設定することができる。
【００２１】
前記待受機能透過層２２は、ユーザが前記壁紙画像層２１に対して何らかの操作（例えば、画面タッチ、キースイッチ操作）をすると、この待受機能透過層２２とクイックランチャー透過層２３とが機能して表示される。待受機能透過層２２が機能すると、前記壁紙画像に対してぼかしと縮小効果が行われ、また該待受機能透過層２２上に置かれたウィジェット、アイコン等が表示される。
【００２２】
前記クイックランチャー透過層２３のランチャーメニュー表示エリア３２には、ユーザの使用頻度の高い主要機能（電話、メール、ＧＰＳ，カメラ等）のアイコンが配置されている。ここに、「クイックランチャー」とは、速く機能を指示して速く実行できるようにすることを意味する。該ランチャーメニュー表示エリア３２では、アイコン以外の部分は、透過度が高くされている。また、メインメニューカード透過層２４と画面の場所を分け合っている。クイックランチャー透過層２３の透過部が指で触れられたり、操作部３上の終話キー（不図示）が押されると、待受機能透過層２２とクイックランチャー透過層２３が消えて、壁紙画像層２１に戻る。
【００２３】
前記メインメニューカード透過層２４は、機能を操作するアイコンを、１個のカードにつき、Ｘ列Ｙ行（Ｘ，Ｙは正の整数；例えば、最大８列３行）配置することが可能な層であり、カード状になっている。メインメニューカード画面２４ａは、透過度が、クイックランチャー透過層２３のランチャーメニュー表示エリア３２よりも低く抑えられている。メインメニューカード画面２４ａは、図示されているように、画面の横方向に複数枚（２４ａ’）配置することが可能で、指先のタッチにより、左右に移動させて、隣に配置されたメインメニューカード透過層を表示することができる。
【００２４】
前記水平画面層２５は、垂直画面層が、上部にズームアウトしていき、画面の下部に待受機能透過層２２に設定されたウィジェット、ショートカットを削除するために表れる層である。削除したいウィジェット等をドラッグして水平画面層の下部領域に形成されている穴２５ａ（ブラックホール）まで誘導し、該穴の上でウィジェット等を離すと、該ウィジェット等が穴に吸い込まれる視覚的効果を用いることでウィジェット等が削除され、戻ってこないことを印象づけることができる。該水平画面層の詳細については後述する。
【００２５】
上記のように、前記待受機能透過層２２を設けることでぼやけたかつ縮小された壁紙画像を背景としてウィジェット等が表示されるので、待受機能透過層２２上に置かれたウィジェット等、クイックランチャー透過層２３に置かれたアイコン等、メインメニューカード透過層２４に置かれたアイコン等の視認性が良くなり、待受画面の壁紙閲覧モードとの違いを明示できるようになる。また、透過された層（レイヤー）構成にすることで、どこの階層の画面が開かれているかが判りやすくなり、ユーザがどの階層を開いているか分からなくなるという混乱を回避できるようになる。
【００２６】
図３(a)は前記待受画面の壁紙の具体例を示す。待受画面には壁紙３０が表示されており、その例えば上部には、電波の強度、バッテリの残量表示、時刻表示等を表示するステータスバー３１が表示されている。ステータスバー３１のエリアは透過度が低くなっており、壁紙３０がぼやけて見えるように構成されている。
【００２７】
ユーザが待受画面の壁紙３０に指でタッチ又はフリック（軽打）すると、前記待受機能透過層２２とクイックランチャー透過層２３が表示されて、同図(b)のクイックランチャー表示エリア（ウィジェット・デスクトップショートカット表示状態）に遷移する。このクイックランチャー表示画面では、壁紙３０が例えば７５％に縮小される（ズームアウト）と共にぼやけた画像になり、画面の例えば下部にランチャーメニュー表示エリア３２が形成される。なお、前記の縮小及び透過度又はぼやけの程度は、任意の大きさに選択可能である。また、壁紙３０には、ウィジェット３０ａ、デスクトップショートカット３０ｂ、アイコン３０ｃ等が表示される。また、前記ランチャーメニュー表示エリア３２には、ランチャーメニューボタン３２ａ、アイコン３２ｂ〜３２ｅ、及び起動中アプリボタン３２ｆが表示され、これらのボタンやアイコン以外の部分は透過度が低く抑えられてぼけた壁紙が透けて見えるようになっている。アイコン３２ｂ〜３２ｅとしては、ユーザの使用頻度の高い主要機能（電話、メール、マナーモード，カメラ等）のアイコンが配置されており、自由に入れ替えることができる。なお、同図(b)の壁紙３０が指でタッチ又はフリックされると、同図(a)の待受画面（壁紙表示画面）に戻る。
【００２８】
ここで、アイコン３２ｂ〜３２ｅについて、例えばマナーモードのアイコン３２ｄを代表に挙げて説明すると、図４に示すように、機能を示すマーク又は絵が描かれた円形部３２ｄ１中のマーク又は絵以外の部分はぼやけた壁紙３０の画像の輝度より輝度が下げられており、該円形部３２ｄ１の周囲のリング部（円環部）３２ｄ２の輝度は壁紙３０の画像の輝度より上げられている。このようにすることにより、アイコンが壁紙画像の上に存在することを分かりやすくしている。換言すれば、アイコンの視認性を高めることができる。
【００２９】
次に、メインメニューカード透過層２４を画面上に表示する場合には、図３(b)の画面上でランチャーメニューボタン３２ａが指先でタッチされる。そうすると、前記メインメニューカード透過層２４が機能して、図５に示されているように、表示部の画面にアイコンの一覧画面（又は、一覧カード）３５が表示される。このアイコンの一覧カード３５は複数枚用意されているので、ユーザの操作により他のカードに変えることができる。なお、該カード上の各アイコン（例えば、アドレス帳、ブログ等）も、図４で説明したのと同じ構造をしている。また、前記指先のタッチに代えて、前記ランチャーメニューボタン３２ａにフォーカスを当てて、操作部３（図１参照）に設けられているセンターキー又はエンターキーを押しても一覧カード３５を表示することができる。
【００３０】
次に、図３(b)の画面上で前記ウィジェット３０ａが指先でタッチされると、図６に示されているように、該ウィジェット３０ａに対応するアプリケーションの起動画面に遷移する。なお、ウィジェット３０ａにフォーカスを当てて、操作部３（図１参照）に設けられているセンターキー又はエンターキーを押しても、同様の画面の遷移が得られる。
【００３１】
次に、図３(b)の画面上で例えば前記ショートカット３０ｂ（又は３０ｃ）が指先でタッチされると、図７に示されているように、該ショートカット３０ｂに対応するアプリケーションの起動画面に遷移する。なお、ショートカット３０ｂにフォーカスを当てて、操作部３に設けられているセンターキー又はエンターキーを押しても、同様の画面の遷移が得られる。
【００３２】
次に、図３(b)の画面上で例えばホームランチャーアイコン３２ｂ（又は、３２ｃ〜３２ｅ）がタッチされると、図８に示されているように、該ホームランチャーアイコン３２ｂに対応するアプリケーションの起動画面に遷移する。なお、ホームランチャーアイコン３２ｂにフォーカスを当てて、操作部３に設けられているセンターキー又はエンターキーを押しても、同様の画面の遷移が得られる。また、図５のアイコンの一覧画面３５上で、所望のアイコンがタッチされると、該アイコンに対応するアプリケーションの起動画面に遷移する。
【００３３】
次に、図３(b)の画面上のウィジェット３０ａを削除する場合について図９を参照して説明する。ウィジェット３０ａを削除する場合には、図９(a)に示されているように、ウィジェット３０ａが長タッチされる。そうすると、ウィジェット３０ａをドラッグすることができるようになると共に、同図(b)に示されているように、壁紙３０が後退して画面の下部に「ウィジェット削除」のラベルが表れる。続いて、同図(c)に示されているように、壁紙３０がせり上がるように上方に移動して、その下部の余白３３が大きくなる。すなわち、画面全体がズームインして（３次元）立体効果が表れることにより、ユーザにモードが変わったことを明示的に表示することができる。
【００３４】
そこで、ウィジェット３０ａが該ラベル上にドラッグされると、ウィジェット３０ａは例えば右回りに回転しながらドロップされ、画面は同図(d)のようになる。続いて、トランジション効果が施されて同図(e）のような待受画面に遷移する。該待受画面では、ウィジェット３０ａは削除されている。なお、前記余白３３の「ウィジェット削除」のラベルに代えて、穴（ブラックホール）のような形を表示し、該ブラックホール上にウィジェット３０ａがドラッグされると、ブラックホールがウィジェット３０ａを吸い込んでしまうようにしてもよい。このようにすると、前記立体効果をさらに上げることができる。
【００３５】
次に、デスクトップショートカットを削除する場合について図１０を参照して説明する。デスクトップショートカット３０ｂを削除する場合には、図１０(a)に示されているように、デスクトップショートカット３０ｂが長タッチされる。そうすると、デスクトップショートカット３０ｂをドラッグすることができるようになると共に、同図(b)に示されているように、壁紙３０が後退して画面の下部に「ショートカット削除」のラベルが表れる。続いて、同図(c)に示されているように、壁紙３０がせり上がるように上方に移動して、その下部の余白３３が大きくなる。すなわち、画面全体がズームインして立体効果が表れることにより、ユーザにモードが変わったことを明示的に表示することができる。
【００３６】
そこで、同図(c)に示されているように、デスクトップショートカット３０ｂが該ラベル上にドラッグされると、デスクトップショートカット３０ｂは例えば右回りに回転しながらドロップされ、画面は同図(d)のようになる。続いて、トランジション効果が施されて同図(e）のような待受画面に遷移する。該待受画面では、デスクトップショートカット３０ｂは削除されている。なお、前記「ショートカット削除」のラベルに代えて、穴（ブラックホール）のような形を表示し、該ブラックホール上にデスクトップショートカット３０ｂがドラッグされると、ブラックホールがデスクトップショートカット３０ｂを吸い込んでしまうようにしてもよい。このようにすると、前記立体（３次元）効果をさらに上げることができる。
【００３７】
また、前記アイコンも、前記と同様に削除することができる。なお、ここでは説明しないが、前記ウィジェット、デスクトップショートカット及び／又はアイコンを、画面上に生成することができるのは勿論である。
【００３８】
本実施形態によれば、前記したように、画面を切り替えずに各階層を表示すると共に、各階層を透過層（レイヤー）で表現した。そして、常に第１階層である待受画面が、画面のどこかに表示されるようにした。つまり、待受画面より下位の機能選択画面であっても壁紙が縮小されたりぼやけたりして表示されるようにしたので、現在開いている画面がどの階層の画面であるかが判る。このため、ユーザのお好みの画面表示を実現することができると共に、機能の選択操作を効率的に行えるようになる。また、メインメニューカード画面２４ａ，２４ａ’をカードとして扱うことで、カスタマイズ性を実現することができる。
【符号の説明】
【００３９】
６・・・表示制御部、７・・・画像データ記憶部、８・・・表示部、９・・・触指感知部、２１・・・壁紙画像層、２２・・・待受機能透過層、２３・・・クイックランチャー透過層、２４・・・メインメニューカード透過層、２４ａ，２４ａ’・・・メインメニューカード画面、３０・・・壁紙、３１・・・ステータスバー、３２・・・ランチャーメニュー表示エリア、３５・・・アイコンの一覧画面（一覧カード）。
【図１】
2011180964.tif 000003
【図２】
2011180964.tif 000004
【図６】
2011180964.tif 000005
【図７】
2011180964.tif 000006
【図８】
2011180964.tif 000007
【図３】
2011180964.tif 000008
【図４】
2011180964.tif 000009
【図５】
2011180964.tif 000010
【図９】
2011180964.tif 000011
【図１０】
2011180964.tif 000012